(57)【要約】      （修正有）【課題】簡易な操作により鉋刃本体を容易に進退させることができ、下端面からの刃先の突出量を迅速に調整することができる鉋刃の刃先調整機構を提供する。【解決手段】鉋刃本体１は、該鉋刃本体１の進退方向に沿って形成された第１の長孔１２と、この第１の長孔１２の長手方向の中心軸に対して斜め方向に長手方向の中心軸を有する第２の長孔１３とを有し、第１の長孔１２に挿通され、鉋刃本体１を刃物台２にネジ止めする固定ボルト３と、刃物台２に設けられ、第１の長孔１２の長手方向の中心軸に対して直交する方向に沿って形成されたガイド溝２４と、一端がガイド溝２４にスライド可能に係合し、他端が第２の長孔１３に挿通して鉋刃本体１から突出するコマ部材５とを備え、固定ボルト３を緩めたとき、コマ部材５をガイド溝２４に摺動させることにより、鉋刃本体１を進退できるようにしたものである。【選択図】図１
0003166357.tif 000002
【実用新案登録請求の範囲】
【請求項１】
刃物台に装着され、刃口に向かって進退可能な鉋刃本体を備えた鉋刃の刃先調整機構であって、
前記鉋刃本体は、
該鉋刃本体の進退方向に沿って形成された第１の長孔と、
この第１の長孔の長手方向の中心軸に対して斜め方向に長手方向の中心軸を有する第２の長孔と、を有し、
前記第１の長孔に挿通され、前記鉋刃本体を前記刃物台にネジ止めする固定ボルトと、
前記刃物台に設けられ、前記第１の長孔の長手方向の中心軸に対して直交する方向に沿って形成されたガイド溝と、
一端が前記ガイド溝にスライド可能に係合し、他端が前記第２の長孔に挿通して前記鉋刃本体から突出するコマ部材と、を備え、
前記固定ボルトを緩めたとき、前記コマ部材を前記ガイド溝に摺動させることにより、前記鉋刃本体を進退できるようにしたことを特徴とする鉋刃の刃先調整機構。
【請求項２】
ガイド溝は、開口側に向かうにつれて漸次拡幅するようにテーパー状の断面を有し、
コマ部材は、前記テーパー状の断面に対応するように形成され、
前記コマ部材を前記ガイド溝の深さ方向に押し込んだとき、前記コマ部材が前記ガイド溝に嵌合して前記コマ部材の移動が阻止されることを特徴とする請求項１記載の鉋刃の刃先調整機構。
【考案の詳細な説明】
【技術分野】
【０００１】
本考案は、刃物台に装着され、刃口に向かって進退可能な鉋刃本体を備えた鉋刃の刃先調整機構に係り、特に、固定ボルトを緩めてコマ部材をスライドさせるという簡易な操作により鉋刃本体を容易に進退させることができ、鉋下端面からの刃先の突出量を迅速に調整することができるものに関する。
【背景技術】
【０００２】
例えば食料品をスライスするスライサーにあっては、食材の種類および使用目的に応じてスライスする厚さを変えるのが通例であり、限られた台数のスライス機を用いて多品目に亘る食材を短時間で効率良くスライスするためには、鉋下端面からの刃先の突出量を迅速に調整する必要がある。
【０００３】
このような刃先の突出量を調整するものとして、例えば、特許文献１の図２、図３に示されているように、回転鉋盤の刃物取付部に、締付ボルトを長孔に挿通して刃先調整可能に取り付けられる鰹節削り機用鉋刃であって、鉋刃本体の左右両側に、刃先調整用ねじと係嵌される刃先調整用孔を夫々設けた鰹節削り機用鉋刃が提案されている。
【先行技術文献】
【特許文献】
【０００４】
【特許文献１】実開昭５６−７２６９６号公報
【考案の概要】
【考案が解決しようとする課題】
【０００５】
しかしながら、上述したような鉋刃にあっては、鉋刃本体の左右両側に設けられた刃先調整用ねじを、螺動させながら該鉋刃本体を進退させるもので、刃先調整用ねじをそれぞれ別々に操作する分、手間がかかり、しかも、左右の刃先調整用ねじの進退度合いが異なると、締付ボルトを中心として鉋刃本体が回転してしまい、鉋下端面からの鉋刃の幅方向における突出量に偏りを生じてしまうという問題点がある。
【０００６】
本考案は、上述した問題点を解決するためになされたものである。
【課題を解決するための手段】
【０００７】
請求項１に係る考案は、刃物台に装着され、刃口に向かって進退可能な鉋刃本体を備えた鉋刃の刃先調整機構であって、前記鉋刃本体は、該鉋刃本体の進退方向に沿って形成された第１の長孔と、この第１の長孔の長手方向の中心軸に対して斜め方向に長手方向の中心軸を有する第２の長孔と、を有し、前記第１の長孔に挿通され、前記鉋刃本体を前記刃物台にネジ止めする固定ボルトと、前記刃物台に設けられ、前記第１の長孔の長手方向の中心軸に対して直交する方向に沿って形成されたガイド溝と、一端が前記ガイド溝にスライド可能に係合し、他端が前記第２の長孔に挿通して前記鉋刃本体から突出するコマ部材と、を備え、前記固定ボルトを緩めたとき、前記コマ部材を前記ガイド溝に摺動させることにより、前記鉋刃本体を進退できるようにした鉋刃の刃先調整機構である。
【０００８】
請求項２に係る考案は、請求項１記載の鉋刃の刃先調整機構において、ガイド溝は、開口側に向かうにつれて漸次拡幅するようにテーパー状の断面を有し、コマ部材は、前記テーパー状の断面に対応するように形成され、前記コマ部材を前記ガイド溝の深さ方向に押し込んだとき、前記コマ部材が前記ガイド溝に嵌合して前記コマ部材の移動が阻止されるものである。
【考案の効果】
【０００９】
請求項１に記載の鉋刃の刃先調整機構によれば、前記鉋刃本体は、該鉋刃本体の進退方向に沿って形成された第１の長孔と、この第１の長孔の長手方向の中心軸に対して斜め方向に長手方向の中心軸を有する第２の長孔と、を有し、前記第１の長孔に挿通され、前記鉋刃本体を前記刃物台にネジ止めする固定ボルトと、前記刃物台に設けられ、前記第１の長孔の長手方向の中心軸に対して直交する方向に沿って形成されたガイド溝と、一端が前記ガイド溝にスライド可能に係合し、他端が前記第２の長孔に挿通して前記鉋刃本体から突出するコマ部材と、を備え、前記固定ボルトを緩めたとき、前記コマ部材を前記ガイド溝に摺動させることにより、前記鉋刃本体を進退できるようにしたため、固定ボルトを緩めてコマ部材をスライドさせるという簡易な操作により鉋刃本体を容易に進退させることができ、下端面からの刃先の突出量を迅速に調整することができる。
【００１０】
請求項２に記載の考案によれば、請求項１記載の鉋刃の刃先調整機構の効果に加え、ガイド溝は、開口側に向かうにつれて漸次拡幅するようにテーパー状の断面を有し、コマ部材は、前記テーパー状の断面に対応するように形成され、前記コマ部材を前記ガイド溝の深さ方向に押し込んだとき、前記コマ部材が前記ガイド溝に嵌合して前記コマ部材の移動が阻止されるため、所望の位置にコマ部材を固定することができ、鉋刃本体を刃物台に仮止めしてより一層確実に下端面からの刃先の突出量を調整することができる。
【図面の簡単な説明】
【００１１】
【図１】本考案の鉋刃の刃先調整機構を具備した鉋の概略的縦断面図である。
【図２】図１のＭ方向から見た概略的斜視図である。
【図３】図１の鉋刃本体の概略的平面図である。
【図４】図１の作用を説明するための概略的斜視図である。
【図５】図１の作用の一例を説明するための概略図であり、鉋刃本体付近を表したものである。
【図６】図５の状態における鉋の概略的縦断面図である。
【図７】図１の作用の他の例を説明するための概略図であり、鉋刃本体付近を表したものである。
【図８】図７の状態における鉋の概略的縦断面図である。
【図９】図１のコマ部材の他の例を示した概略的一部拡大縦断面図である。
【図１０】図９の作用を説明するための概略的一部拡大縦断面図である。
【図１１】図１の変形例を示した概略的斜視図である。
【図１２】図１１の概略的側面図である。
【考案を実施するための形態】
【００１２】
本考案の一実施例を、図１〜図８を参照して説明する。図１〜図３において、Ａは、本考案に係る鉋刃の刃先調整機構、即ち、刃物台に装着され、刃口に向かって進退可能な鉋刃本体を備えた鉋刃の刃先調整機構を具備した鉋であり、鉋Ａは、概略的に、鉋刃本体１と、固定ボルト３と、ガイド溝２４と、コマ部材５とにより構成されている。
【００１３】
鉋刃本体１は、図１に示したように、刃物台２に取り付けられ、先端に設けられた刃先１１が、刃口２１を介して刃物台２の下端面２３から突出し、この下端面２３に当接しながら移動する被切削物（例えば、鰹節や野菜等の食材など）を所定の厚さにスライスするもので、図３に示したように、第１の長孔１２と、第２の長孔１３とを有している。
【００１４】
第１の長孔１２は、鉋刃本体１に穿設され、長手方向の中心軸ｘが鉋刃本体１の進退方向ｚに沿って形成されているもので、この第１の長孔１２内には後記する固定ボルト３が挿通される。
【００１５】
第２の長孔１３は、鉋刃本体１に穿設され、第１の長孔１２の長手方向の中心軸ｘに対して斜め方向に長手方向の中心軸ｙを有するもので、例えば、同図に示したように、第１の長孔１２を挟んで、刃先１１とは反対側に形成されている。
【００１６】
固定ボルト３は、図１に示したように、第１の長孔１２に挿通され、刃物台２に螺設されたネジ孔２２に螺合し、鉋刃本体１を刃物台２にネジ止めするもので、例えば、蝶ボルトであり、鉋刃本体１を刃物台２に均等に押圧できるように、押え部材４を鉋刃本体１上に介在させてある。この固定ボルト３を締め付けたときには鉋刃本体１が刃物台２に密接に固定され、固定ボルト３を緩めたときには鉋刃本体１の進退を可能にするものである。なお、図３に示したように、この固定ボルト３の外径は、第１の長孔１２の幅寸法（短径）と略同一に形成されている。
【００１７】
ガイド溝２４は、図１〜図３に示したように、刃物台２に設けられ、第１の長孔１２の長手方向の中心軸ｘに対して直交する方向に沿って形成されているもので、後記するコマ部材５の係合部５１を受け入れるものである。
【００１８】
コマ部材５は、一端である係合部５１が前述のガイド溝２４にスライド可能に係合し、他端である突出部５２が第２の長孔１３に挿通して鉋刃本体１から突出している。この突出部５２の外径は、図２に示したように、第２の長孔１３の幅寸法（短径）と略同一に形成されている。また、突出部５２の鉋刃本体１からの突出量は、指で摘める程度の寸法である。なお、突出部５２の外形は、図３に示したように、第２の長孔１３の長手方向の中心軸ｙに平行な長手形状であるのが好ましい。
【００１９】
ところで、図２、図３において、１４、１４は、鉋刃本体１における第１の長孔１２の左右両側に穿設され、第１の長孔１２に平行な長手形状のガイド溝であり、２５、２５は、刃物台２から立設され、それぞれガイド溝１４、１４に挿通される突起であり、これらは好適に設けられるもので、ガイド溝１４は、突起２５に摺動し、鉋刃本体１の進退方向を定める補助手段として作用する。
【００２０】
次に、上述した実施例のように構成される鉋Ａの作用について、図４〜図８を参照して説明すると、まず、図４において、固定ボルト３を緩めて鉋刃本体１の進退を可能にした後、突出部５２を摘んで操作し、コマ部材５を鉋刃本体１の進退方向に対して直交する方向、即ち、図４の左右方向に移動させて、該鉋刃本体１を進退させる。
【００２１】
図５は、コマ部材５を、同図の右側方向に移動させたときの状態を示しており、鉋刃本体１の左右方向の移動は固定ボルト３により阻止されているため、突出部５２に摺動した第２の長孔１３の移動により、鉋刃本体１は、刃口２１から進出する方向（図５の下側方向）に向かって押し出され、その結果、図６に示したように、刃先１１の下端面２３からの突出量が大きくなり、被切削物ｂをより厚くスライスすることができる。
【００２２】
他方、図７は、コマ部材５を、同図の左側方向に移動させたときの状態を示しており、鉋刃本体１の左右方向の移動は固定ボルト３により阻止されているため、突出部５２に摺動した第２の長孔１３の移動により、鉋刃本体１は、刃口２１から後退する方向（図７の上側方向）に向かって引き込まれ、その結果、図８に示したように、刃先１１の下端面２３からの突出量が小さくなり、被切削物ｂをより薄くスライスすることができる。
【００２３】
ところで、ガイド溝２４は、図９に示したように、開口側に向かうにつれて漸次拡幅するようにテーパー状の断面を有し、コマ部材５は、テーパー状の断面に対応するように形成されているのが好ましく、かかる構成の鉋刃の刃先調整機構にあっては、図１０に示したように、コマ部材５をガイド溝２４の深さ方向に押し込んだとき、コマ部材５がガイド溝２４に嵌合してコマ部材５のスライドが阻止され、所望の位置にコマ部材５を固定することができ、鉋刃本体１を刃物台２に仮止めしてより一層確実に下端面２３からの刃先１１の突出量を調整することができる。
【００２４】
また、上述した実施例にあっては、鉋刃本体１の進退方向を定める補助手段として、ガイド溝１４、１４および突起２５、２５を設ける例について示したが、これらに代えて、例えば、図１１、図１２に示したように、刃物台２に、鉋刃本体１の左右の側端部を挟み込むように側方支持部２６、２６を設けるようにしてもよい。
【符号の説明】
【００２５】
Ａ        鉋
１        鉋刃本体
１２      第１の長孔
１３      第２の長孔
２        刃物台
２４      ガイド溝
３        固定ボルト
５        コマ部材
【図１】
0003166357.tif 000003
【図２】
0003166357.tif 000004
【図３】
0003166357.tif 000005
【図４】
0003166357.tif 000006
【図５】
0003166357.tif 000007
【図６】
0003166357.tif 000008
【図７】
0003166357.tif 000009
【図８】
0003166357.tif 000010
【図９】
0003166357.tif 000011
【図１０】
0003166357.tif 000012
【図１１】
0003166357.tif 000013
【図１２】
0003166357.tif 000014